(57)【要約】【課題】光学ユニットやプラテンガラスの温度上昇を効果的に抑制することが可能な原稿読取り装置を提供する。【解決手段】第１乃至第３温度センサー７６〜７８により検出された温度を比較して、これらの検出温度のうちから最も低い温度を選択し、この最も低い温度となっている位置まで第１走査部１５を移動させて位置決めして、第２走査部１６も追従移動させて位置決めし、光源１５ａからの光及び原稿からの反射光が第１プラテンガラス１４の最も低い温度の位置近傍部分を透過するようにしているので、第１プラテンガラス１４の特定部分の温度が過度に上昇することがない。また、第１及び第２走査部１５、１６の移動に伴い、ファンによる空気の流れが変わるので、第１及び第２走査部１５、１６や光学系近傍の空気の滞留が解消され、その温度上昇が抑制される。【選択図】図２
2008211635.tif 000002
【特許請求の範囲】
【請求項１】
原稿をプラテンガラス上で搬送しつつ、プラテンガラスを通じて、プラテンガラス下方に位置決めされた光学ユニットにより原稿の画像を読取る原稿読取り装置において、
この原稿読取り装置内部の温度変位状況に応じて、前記光学ユニットを前記プラテンガラスに沿って移動させて、光学ユニットの位置を変更し、原稿の画像読取りを継続することを特徴とする原稿読取り装置。
【請求項２】
前記光学ユニットの光源からの光もしくは前記原稿からの反射光が透過する前記プラテンガラスの光透過部分の温度を検出する温度センサーを備え、
この温度センサーにより検出された温度の変位に応じて、光学ユニットの光源を移動させて、プラテンガラスの光透過部分を変更することを特徴とする請求項１に記載の原稿読取り装置。
【請求項３】
継続して読取られた原稿の枚数を計数する枚数積算カウンターを備え、
この枚数積算カウンターにより計数された原稿の枚数が前記原稿読取り装置内部の温度変位を生じ得る一定枚数に達すると、前記光学ユニットを移動させて、光学ユニットの位置を変更することを特徴とする請求項１に記載の原稿読取り装置。
【請求項４】
前記光源の光の照射時間を計時するタイマーを備え、
このタイマーにより計時された照射時間が前記原稿読取り装置内部の温度変位を生じ得る一定枚数に達すると、前記光学ユニットを移動させて、光学ユニットの位置を変更することを特徴とする請求項１に記載の原稿読取り装置。
【請求項５】
前記光学ユニットを前記プラテンガラス上の原稿の搬送方向に移動させて、光学ユニットの位置を変更することを特徴とする請求項１に記載の原稿読取り装置。
【請求項６】
原稿を前記プラテンガラス上で搬送する搬送手段を備え、
前記搬送手段は、原稿をプラテンガラス上に押え付けながら搬送することを特徴とする請求項１に記載の原稿読取り装置。
【請求項７】
前記搬送手段は、回転移動される白色の無端状ベルトを備え、この無端状ベルトと前記プラテンガラス間に原稿を挟み込んで搬送することを特徴とする請求項６に記載の原稿読取り装置。
【発明の詳細な説明】
【技術分野】
【０００１】
本発明は、複写機やファクシミリ装置等に装備され、原稿載置台に載置された原稿を読取る原稿読取り装置に関する。
【背景技術】
【０００２】
この種の原稿読取り装置においては、プラテンガラス上に原稿を配置し、プラテンガラスを通じて、プラテンガラス下方の光学ユニットにより原稿の照明及び原稿画像の読取りを行っている。そして、光学ユニットを副走査方向に移動させながら、主走査方向のスキャンを繰り返し、原稿の画像全体を読取るか（いわゆる原稿固定方式）、あるいは原稿そのものをプラテンガラス上で副走査方向に搬送しながら、主走査方向のスキャンを繰り返して、原稿の画像全体を読取っている（いわゆる原稿搬送方式）。
【０００３】
図６（ａ）は、原稿搬送方式を採用した従来の原稿読取り装置を部分的に示す断面図である。この装置では、プラテンガラス２０１の下方にＣＣＤ（Charge Coupled Device）２０２及び光源２０３を配置し、プラテンガラス２０１の上方にシェーディング補正板２０４を配置し、複数組の搬送ローラ２０５により原稿をプラテンガラス２０１とシェーディング補正板２０４間に搬送しつつ、プラテンガラス２０１を通じて、光源２０３により原稿を照明し、ＣＣＤ２０２により原稿の画像を読取っている。
【０００４】
更に、特許文献１では、図６（ａ）に示すように構成した上で、プラテンガラス２０１が汚れたときには、プラテンガラス２０１の汚れた部分を通じて原稿を読取っても、良好な読取りができないため、ＣＣＤ２０２及び光源２０３等をプラテンガラス２０１に沿って移動させ、プラテンガラス２０１の汚れていない部分を通じて原稿を読取るようにしている。
【特許文献１】特開２００３−２５９０８７号
【発明の開示】
【発明が解決しようとする課題】
【０００５】
ところで、原稿読取り装置の光源としては、蛍光灯や冷陰極管等が用いられるが、近年は、省電力化及び発熱量低減のために冷陰極管を用いることが多い。
【０００６】
しかしながら、従来の原稿搬送方式では、光源及び反射鏡やレンズ等からなる光学ユニットを定位置に位置決めしていたので、光源として冷陰極管を用いても、光源の熱が光学ユニットやその周辺のプラテンガラスに伝導し易く、光学ユニットやプラテンガラスが加熱され、これらの温度が上昇した。
【０００７】
また、光学ユニットやプラテンガラスを冷却するためのファンを設けているが、光学ユニットを定位置に位置決めした状態では、ファンによる空気の流れが特定されてしまって、光学ユニット近傍の空気が滞留する傾向にあり、温度上昇を効果的に防止することができなかった。
【０００８】
更に、近年は、印字処理速度を高速化した装置の開発が進んでおり、例えば印字処理枚数を１００枚/分以上とした装置が開発されている。このような印字処理速度の高速化を実現するには、この印字処理速度以上に原稿の読取り速度を設定する必要がある。仮に、印字処理速度よりも原稿の読取り速度が遅いと、原稿の読取りが印字処理よりも遅れたときに、原稿の読取りが追いつくまで、印字処理を中断させねばならないという不具合が発生する。
【０００９】
ところが、原稿の読取り速度を十分に高速化するには、光源の光量を上げる必要がある。また、多量の原稿を読取るときには、光源の照射時間が長くなる。このため、光学ユニットやプラテンガラスの温度が過度に上昇した。
【００１０】
例えば、従来の原稿搬送方式では、図６（ｂ）のグラフに示すように光源２０３からの光や原稿からの反射光が透過するプラテンガラス２０１の光透過部分２０１ａの温度が該プラテンガラス２０１の他の部分よりも格別に上昇した。
【００１１】
更に、原稿の読取り速度を高速化した場合は、図７のグラフに示すように連続的な原稿の読取り枚数が３００枚近くになると、プラテンガラス２０１の光透過部分の温度が８０℃近くまで上昇し、更に原稿の読取り枚数が増加したならば、その温度が９５℃近くまで上昇することもあった。
【００１２】
このようにプラテンガラスの温度が８０℃近くもしくはそれ以上に上昇した状態では、人の手がプラテンガラスに触れるだけで、火傷することになる。また、プラテンガラスの温度が高くなった部位に原稿が接触して、原稿が変色したり、原稿の水分分布に偏りが生じて、これが原稿の反りやシワ、延いてはジャムの原因になった。
【００１３】
また、空気が滞留した状態では、光源の支持部材及び反射鏡やレンズ等からなる光学ユニットの温度が上昇し易く、光学系の焦点距離が変動して、ピントがずれた状態で原稿の画像を読取ることになり、画像品質の低下を招いた。
【００１４】
しかしながら、従来は、そのような光学ユニットやプラテンガラスの温度上昇に対して効果的に対処する手立てがなく、この温度上昇を実質上放置したままであった。
【００１５】
一方、特許文献１では、ＣＣＤ及び光源等をプラテンガラスに沿って移動させているが、これは、プラテンガラスの汚れた部分を避けるためのものであって、光学ユニットやプラテンガラスの温度上昇に伴う種々の問題を解決するためのものではなく、また解決することもできなかった。
【００１６】
そこで、本発明は、上記従来の問題点に鑑みてなされたものであり、光学ユニットやプラテンガラスの温度上昇を効果的に抑制することが可能な原稿読取り装置を提供することを目的とする。
【課題を解決するための手段】
【００１７】
上記課題を解決するために、本発明は、原稿をプラテンガラス上で搬送しつつ、プラテンガラスを通じて、プラテンガラス下方に位置決めされた光学ユニットにより原稿の画像を読取る原稿読取り装置において、この原稿読取り装置内部の温度変位状況に応じて、前記光学ユニットを前記プラテンガラスに沿って移動させて、光学ユニットの位置を変更し、原稿の画像読取りを継続している。
【００１８】
また、前記光学ユニットの光源からの光もしくは前記原稿からの反射光が透過する前記プラテンガラスの光透過部分の温度を検出する温度センサーを備え、この温度センサーにより検出された温度の変位に応じて、光学ユニットの光源を移動させて、プラテンガラスの光透過部分を変更している。
【００１９】
更に、継続して読取られた原稿の枚数を計数する枚数積算カウンターを備え、この枚数積算カウンターにより計数された原稿の枚数が前記原稿読取り装置内部の温度変位を生じ得る一定枚数に達すると、前記光学ユニットを移動させて、光学ユニットの位置を変更している。
【００２０】
また、前記光源の光の照射時間を計時するタイマーを備え、このタイマーにより計時された照射時間が前記原稿読取り装置内部の温度変位を生じ得る一定枚数に達すると、前記光学ユニットを移動させて、光学ユニットの位置を変更している。
【００２１】
更に、前記光学ユニットを前記プラテンガラス上の原稿の搬送方向に移動させて、光学ユニットの位置を変更している。
【００２２】
また、原稿を前記プラテンガラス上で搬送する搬送手段を備え、前記搬送手段は、原稿をプラテンガラス上に押え付けながら搬送している。
【００２３】
更に、前記搬送手段は、回転移動される白色の無端状ベルトを備え、この無端状ベルトと前記プラテンガラス間に原稿を挟み込んで搬送している。
【発明の効果】
【００２４】
このような本発明によれば、原稿読取り装置内部の温度変位状況に応じて、光学ユニットをプラテンガラスに沿って移動させて、光学ユニットの位置を変更し、原稿の画像読取りを継続している。このため、光学ユニットの光源からの光もしくは原稿からの反射光がプラテンガラスの特定部分だけに照射されることはなく、プラテンガラスの特定部分だけが過度に温度上昇することもない。このため、プラテンガラスとの接触による火傷、原稿の変色、原稿の反りやシワ、ジャム等が発生することはない。
【００２５】
また、冷却するためのファンを設けている場合は、光学ユニットの移動に伴い、ファンによる空気の流れが変わるので、光学ユニットやプラテンガラス近傍の空気の滞留が解消され、光学ユニットやプラテンガラスの温度上昇が抑制される。このため、光学系の焦点距離が変動せず、ピントずれも生じず、画像品質の低下を招くこともない。
【００２６】
例えば、プラテンガラスの光透過部分の温度を温度センサーにより検出し、この検出された温度の変位に応じて、光源を移動させて、プラテンガラスの光透過部分を変更しても良い。
【００２７】
あるいは、複数枚の原稿が継続して読取られているときには、光源が連続的に点灯されているので、継続して読取られた原稿の枚数が多くなると、装置内部の温度が上昇する。そこで、原稿の枚数を計数し、この計数された原稿の枚数が装置内部の温度変位を生じ得る一定枚数に達したときに、光学ユニットを移動させて、その位置を変更しても良い。
【００２８】
また、光源の光の照射時間が長くなる程、装置内部の温度が上昇する。そこで、光源の光の照射時間を計時し、この計時された照射時間が装置内部の温度変位を生じ得る一定時間に達したときに、光学ユニットを移動させて、その位置を変更しても構わない。
【００２９】
更に、光学ユニットをプラテンガラス上の原稿の搬送方向に移動させている。この場合は、連続的に搬送される前後の原稿を読取るに際し、前の原稿の読取り終了直後に光学ユニットの移動を開始して、光学ユニットを前後の原稿の間隙に追従移動させ、光学ユニットを停止させた直後から後の原稿の読取りを開始することができる。すなわち、原稿の読取りを殆ど中断せずに、光学ユニットを移動させて、その位置を変更することができる。
【００３０】
また、原稿をプラテンガラス上に押え付けながら搬送しているので、プラテンガラスと原稿の位置関係が変わることがなく、原稿の読取りが容易になる。例えば、回転移動される無端状ベルトとプラテンガラス間に原稿を挟み込んで搬送する。また、無端状ベルトとして白色のものを用いているので、この無端状ベルトをシェーディング補正に用いることができる。
【発明を実施するための最良の形態】
【００３１】
以下、本発明の実施形態を添付図面を参照しつつ詳細に説明する。
【００３２】
図１は、本発明の原稿読取り装置の第１実施形態を適用した画像形成装置を示す断面図である。この画像形成装置１００は、原稿から読取られた画像データを取得したり、或いは、外部から受信した画像データを取得し、この画像データによって示されるモノクロ画像を記録用紙に形成するものであり、その構成を大別すると、原稿搬送部（ＡＤＦ）１０１、原稿読取り装置１０２、印字部１０３、記録用紙搬送部１０４、及び給紙部１０５からなる。
【００３３】
原稿搬送部１０１では、少なくとも１枚の原稿が原稿セットトレイ１１にセットされると、原稿を１枚ずつ原稿セットトレイ１１から引き出して搬送し、この原稿を原稿読取り装置１０２の第１プラテンガラス１４に導いて通過させ、この原稿を排紙トレイ１２に排出する。
【００３４】
原稿読取り装置１０２では、第１プラテンガラス１４の下方に第１走査部１５及び第２走査部１６からなる光学ユニットを配置しており、原稿が第１プラテンガラス１４を通過する際に、第１走査部１５の光源によって原稿表面を露光し、第１及び第２走査部１５、１６のミラーによって原稿表面からの反射光を結像レンズ１７へと導き、結像レンズ１７によって原稿表面の画像をＣＣＤ（Charge Coupled Device）１８上に結像する。ＣＣＤ１８は、原稿表面の画像を主走査方向に繰り返し読取り、原稿表面の画像を示す画像データを出力する。
【００３５】
また、原稿が原稿読取り装置１０２上面の第２プラテンガラス１９上に置かれた場合は、第１及び第２走査部１５、１６を副走査方向に移動させながら、第１走査部１５によって第２プラテンガラス１９上の原稿表面を露光し、第１及び第２走査部１５、１６によって原稿表面からの反射光を更に反射して結像レンズ１７へと導き、結像レンズ１７によって原稿表面の画像をＣＣＤ１８上に結像する。このとき、第１及び第２走査部１５、１６を相互に所定の速度関係を維持しつつ移動させて、原稿表面→第１及び第２走査部１５、１６→結像レンズ１７→ＣＣＤ１８という反射光の光路の長さが変化しないように第１及び第２走査部１５、１６の位置関係を常に維持し、これによりＣＣＤ１８上での原稿表面の画像のピントを常に正確に維持するようにしている。
【００３６】
ＣＣＤ１８から出力された画像データは、マイクロコンピュータ等の制御回路により各種の画像処理を施されてから、印刷部１０３に出力される。
【００３７】
従って、本実施形態の原稿読取り装置１０２では、原稿が第１プラテンガラス１４上で搬送される原稿搬送方式、及び原稿が第２プラテンガラス１９上に置かれて、光学ユニット（第１及び第２走査部１５、１６）が移動される原稿固定方式の両方を兼用している。
【００３８】
印刷部１０３は、画像データによって示される原稿を用紙に記録するものであって、感光体ドラム２１、帯電器２２、光書込みユニット２３、現像装置２４、転写ユニット２５、クリーニングユニット２６、及び定着装置２７等を備えている。
【００３９】
感光体ドラム２１は、表層が有機光導電性材料からなる有機感光体であり、一方向に回転して、その表面をクリーニングユニット２６によりクリーニングされてから、その表面を帯電器２２により均一に帯電される。帯電器２２は、チャージャー型のものであっても、感光体ドラム２１に接触するローラ型やブラシ型のものであっても良い。
【００４０】
光書込みユニット２３は、２つのレーザ照射部２８ａ、２８ｂ、及び２つのミラー群２９ａ、２９ｂを備えるレーザスキャニングユニット（ＬＳＵ）である。この光書込みユニット２３では、画像データを入力して、この画像データに応じたレーザ光を各レーザ照射部２８ａ、２８ｂからそれぞれ出射し、これらのレーザ光を各ミラー群２９ａ、２９ｂ介して感光体ドラム２１に照射して、均一に帯電された感光体ドラム２１表面を露光し、感光体ドラム２１表面に静電潜像を形成する。
【００４１】
この光書込みユニット２３は、高速印字処理に対応するために２つのレーザ照射部２８ａ、２８ｂを備えた２ビーム方式を採用して、照射タイミングの高速化に伴う負担を軽減している。
【００４２】
尚、光書込ユニット２３として、レーザスキャニングユニットの代わりに、発光素子をアレイ状に並べたＥＬ書き込みヘッドやＬＥＤ書き込みヘッドを用いることもできる。
【００４３】
現像装置２４は、トナーを感光体ドラム２１表面に供給して、静電潜像を現像し、トナー像を感光体ドラム２１表面に形成する。転写ユニット２５は、感光体ドラム２１表面のトナー像を用紙搬送部１０４により搬送されてきた記録用紙に転写する。定着装置２７は、記録用紙を加熱及び加圧して、記録用紙上のトナー像を定着させる。この後、記録用紙は、用紙搬送部１０４により排紙トレイ４７へと更に搬送されて排出される。また、クリーニングユニット２６は、現像、転写後に感光体ドラム２１の表面に残留したトナーを除去して回収する。
【００４４】
ここで、転写ユニット２５は、転写ベルト３１、駆動ローラ３２、従動ローラ３３、及び弾性導電性ローラ３４等を備えており、転写ベルト３１を該各ローラ３２〜３４と他のローラに張架して回転させている。転写ベルト３１は、所定の抵抗値（例えば、１×１０9〜１×１０13Ω／ｃｍ）を有しており、その表面に載せられた記録用紙を搬送する。弾性導電性ローラ３４は、転写ベルト３１を介して感光体ドラム２１表面に押し付けられており、転写ベルト３１上の記録用紙を感光体ドラム２１表面に押し付ける。この弾性導電性ローラ３４には、感光体ドラム２１表面のトナー像の電荷とは逆極性の転写電界が印加されており、この逆極性の転写電界により感光体ドラム２１表面のトナー像が転写ベルト３１上の記録用紙に転写される。例えば、トナー像が（−）極性の電荷を有している場合は、弾性導電性ローラ３４に印加されている転写電界の極性が（＋）極性にされる。
【００４５】
クリーニングユニット２６は、クリーニングブレード２６Ａを感光体ドラム２１表面に圧接して、感光体ドラム２１表面に残留しているトナーや紙粉を除去する。感光ドラム２１表面のトナー像の全てが記録用紙上に転写されることはなく、一般的には、転写効率が、その転写機構によっても異なるが、概ね８５〜９５％であると言われている。他方、記録用紙が転写電界を受けると、記録用紙表面の浮遊物（短繊維のセルロース、増量剤、漂白剤等々）が転写電界とは逆極性に帯電し、この帯電した浮遊物が感光体ドラム２１表面に吸着して紙粉と呼ばれる付着物となる。
【００４６】
仮に、感光体ドラム２１表面に残留しているトナーや紙粉を除去しなかったならば、印字品位が低下する。このため、クリーニングユニット２６による感光体ドラム２１表面のクリーニングが必要となる。
【００４７】
定着装置２７は、加熱ローラ３５及び加圧ローラ３６を備えている。加熱ローラ３５に対して加圧ローラ３６が所定圧で圧接されるように、加圧ローラ３６の両端に図示しない加圧部材を配置している。加熱ローラ３５と加圧ローラ３６間の圧接域（ニップ域と称される）に記録用紙が搬送されて来ると、各ローラ３５、３６により記録用紙が搬送されつつ、記録用紙上の未定着トナー像が加熱溶融され加圧されて、トナー像が記録用紙上に定着される。
【００４８】
用紙搬送部１０４は、記録用紙を搬送するための複数対の搬送ローラ４１、一対のレジストローラ４２、搬送経路４３、反転搬送経路４４ａ、４４ｂ、複数の分岐爪４５、及び一対の排紙ローラ４６等を備えている。
【００４９】
搬送経路４３では、記録用紙を給紙部１０５から受け取り、記録用紙の先端がレジストローラ４２に達するまで該記録用紙を搬送する。このときレジストローラ４２を一時的に停止させているので、記録用紙の先端がレジストローラ４２に達して当接し、記録用紙が撓む。この撓んだ記録用紙の弾性力により該記録用紙の先端をレジストローラ４２と平行に揃える。この後、レジストローラ４２の回転を開始して、レジストローラ４２により記録用紙を印字部１０３の転写ユニット２５へと搬送し、更に排紙ローラ４６により記録用紙を排紙トレイ４７へと搬送する。
【００５０】
レジストローラ４２の停止及び回転は、レジストローラ４２と駆動軸間のクラッチをオンオフに切り替えたり、レジストローラ４２の駆動源であるモータをオンオフに切り替えてなされる。
【００５１】
また、記録用紙の裏面にも画像を記録する場合は、各分岐爪４５を選択的に切替え、記録用紙を搬送経路４３から反転搬送経路４４ｂへと導き入れて、記録用紙の搬送を一旦停止させ、更に各分岐爪４５を選択的に再度切替え、記録用紙を反転搬送経路４４ｂから反転搬送経路４４ａへと導き入れて、記録用紙の表裏を反転させてから、記録用紙を反転搬送経路４４ａを通じて搬送経路４３のレジストローラ４２へと戻す。
【００５２】
この様な記録用紙の搬送をスイッチバック搬送と称し、このスイッチバック搬送により記録用紙の表裏を反転させることができ、同時に記録用紙の先端及び後端も入れ替わる。従って、記録用紙が反転されて戻されると、記録用紙の後端がレジストローラ４２に当接して、記録用紙の後端がレジストローラ４２と平行に揃えられ、レジストローラ４２により記録用紙がその後端から印字部１０３の転写ユニット２５へと搬送されて、記録用紙の裏面に印字がなされ、定着装置２７の各ローラ３５、３６間のニップ域により記録用紙裏面の未定着トナー像が加熱溶融され加圧されて、トナー像が記録用紙の裏面に定着され、この後に排紙ローラ４６により記録用紙が排紙トレイ４７へと搬送される。
【００５３】
搬送経路４３及び反転搬送経路４４ａ、４４ｂにおいては、記録用紙の位置等を検出するセンサーを各所に配置し、各センサーにより検出された記録用紙の位置に基づいて搬送ローラやレジストローラを駆動制御して、記録用紙の搬送及び位置決めを行っている。
【００５４】
給紙部１０５は、複数の給紙トレイ５１を備えている。各給紙トレイ５１は、記録用紙を蓄積しておくためのトレイであり、画像形成装置１００の下方に設けられている。また、各給紙トレイ５１は、記録用紙を一枚ずつ引き出すためのピックアップローラ等を備えており、引き出した記録用紙を用紙搬送部１０４の搬送経路４３へと送り出す。
【００５５】
画像形成装置１００は、高速印字処理を目的としているため、各給紙トレイ５１には、定型サイズの記録用紙を５００〜１５００枚収納可能な容積を確保している。
【００５６】
また、画像形成装置１００の側面には、複数種の記録用紙を多量に収納可能な大容量給紙カセット（ＬＣＣ）５２、及び主として不定型サイズの記録用紙を供給するための手差しトレイ５３を設けている。
【００５７】
排紙トレイ４７は、手差しトレイ５３とは反対側の側面に配置されている。この排紙トレイ４７に代えて、排紙用紙の後処理装置（ステープル、パンチ処理等々）や、複数段の排紙トレイをオプションとして配置することも可能な構成となっている。
【００５８】
次に、本実施形態の原稿読取り装置１０２について詳しく説明する。
【００５９】
本実施形態の原稿読取り装置１０２では、図２に拡大して示す様に第１プラテンガラス１４を原稿の搬送方向に長くしている。
【００６０】
このため、原稿搬送部１０１では、第１プラテンガラス１４の上側で無端状の搬送ベルト７１を駆動ローラ７２と従動ローラ７３間に架け渡し、搬送ベルト７１を第１プラテンガラス１４上面に接触させている。原稿の搬送に際しては、駆動ローラ７２を回転駆動して、搬送ベルト７１を矢印Ａの方向に回転移動させる。
【００６１】
原稿搬送方向上流側の１組の搬送ローラ７４により原稿が搬送されて来ると、この原稿が第１プラテンガラス１４と搬送ベルト７１間に導かれて、搬送ベルト７１により原稿が第１プラテンガラス１４上で滑るように搬送され、更に下流側の１組の搬送ローラ７５により原稿が搬送されて行く。
【００６２】
搬送ベルト７１の表面は、均一な白色であり、原稿読取り装置１０２によるシェーディング補正のために用いられる。
【００６３】
また、原稿読取り装置１０２では、第１走査部１５を３つの位置Ｐ１、Ｐ２、Ｐ３のいずれかまで移動させて位置決めすることができるようにしている。
【００６４】
第１走査部１５を各位置Ｐ１、Ｐ２、Ｐ３のいずれに位置決めした状態でも、第１走査部１５の光源（冷陰極管）１５ａからの光が第１プラテンガラス１４を介して原稿表面に照射され、原稿からの反射光が第１プラテンガラス１４を介して第１走査部１５に入射し、この原稿からの反射光が、第１走査部１５の反射ミラー１５ｂ及び第２走査部１６の２つの反射ミラー１６ａ、１６ｂで順次反射され、更に結像レンズ１７を介してＣＣＤ１８に導かれ、このＣＣＤ１８上に原稿画像が結像される。
【００６５】
また、第１走査部１５を各位置Ｐ１、Ｐ２、Ｐ３のいずれに位置決めしても、原稿固定方式のときと同様に、原稿表面→第１及び第２走査部１５、１６→結像レンズ１７→ＣＣＤ１８という反射光の光路の長さが変化しないように第１及び第２走査部１５、１６の位置関係を常に維持して、ＣＣＤ１８上での原稿表面の画像のピントを常に正確に維持している。
【００６６】
第１走査部１５を位置Ｐ１に位置決めしたときには、第１走査部１５の光源１５ａからの光が第１プラテンガラス１４の位置Ｐ１近傍部分を透過し、原稿からの反射光が同位置Ｐ１近傍部分を透過して第１走査部１５へと入射する。このため、第１プラテンガラス１４の位置Ｐ１近傍部分の温度が上昇する。同様に、第１走査部１５を位置Ｐ２又はＰ３に位置決めしたときには、第１走査部１５の光源１５ａからの光が第１プラテンガラス１４の位置Ｐ２又はＰ３近傍部分を透過し、原稿からの反射光が同位置Ｐ２又はＰ３近傍部分を透過して第１走査部１５へと入射し、第１プラテンガラス１４の位置Ｐ２又はＰ３近傍部分の温度が上昇する。
【００６７】
第１プラテンガラス１４におけるそれぞれの位置近傍部分の相互間で温度の影響を受けないように、各位置Ｐ１、Ｐ２、及びＰ３を離間させている。従って、第１プラテンガラス１４において、位置Ｐ１近傍部分の温度が上昇しても、その隣の位置Ｐ２近傍部分の温度が殆ど上昇せず、また位置Ｐ２近傍部分の温度が上昇しても、両隣の位置Ｐ１近傍部分と位置Ｐ３近傍部分の温度が上昇せず、更に位置Ｐ３近傍部分の温度が上昇しても、その隣の位置Ｐ２近傍部分の温度が殆ど上昇しない。このため、第１プラテンガラス１４が原稿の搬送方向に長くなっている。
【００６８】
第１、第２、及び第３温度センサー７６、７７、７８は、第１プラテンガラス１４の各位置Ｐ１、Ｐ２、Ｐ３の温度を検出している。これらの温度センサー７６〜７８は、最大幅の原稿が通過する領域の外側で、第１プラテンガラス１４の各位置Ｐ１、Ｐ２、Ｐ３に直接接触して、それぞれの温度を検出しても良いし、原稿が通過する領域の内側で、各位置Ｐ１、Ｐ２、Ｐ３とは非接触で、それぞれの温度を検出しても良い。
【００６９】
制御部７９は、第１乃至第３温度センサー７６〜７８により検出された温度を入力し、これらの温度に基づいて、第１及び第２走査部１５、１６の駆動機構（図示せず）を駆動制御して、第１走査部１５を各位置Ｐ１、Ｐ２、Ｐ３のいずれかまで移動させて位置決めし、第２走査部１６も追従移動させて位置決めする。
【００７０】
例えば、制御部７９は、第１乃至第３温度センサー７６〜７８により検出された温度を比較して、これらの検出温度のうちから最も低い温度を選択し、この最も低い温度となっている位置まで第１走査部１５を移動させて位置決めし、第２走査部１６も追従移動させて位置決めする。これにより、第１走査部１５の光源１５ａからの光が第１プラテンガラス１４の最も低い温度の位置近傍部分を透過し、原稿からの反射光も同位置近傍部分を透過することになる。
【００７１】
このため、第１プラテンガラス１４の特定部分の温度が過度に上昇することがなく、第1プラテンガラス１４との接触による火傷、原稿の変色、原稿の反りやシワ、ジャム等が発生することはない。
【００７２】
また、一般に、原稿読取り装置１０２には冷却用のファンを設けているが、第１及び第２走査部１５、１６の移動に伴い、ファンによる空気の流れが変わるので、第１及び第２走査部１５、１６、結像レンズ１７、ＣＣＤ１８に近傍の空気の滞留が解消され、これらの温度上昇が抑制される。このため、光学系の焦点距離が変動せず、ピントずれも生じず、画像品質の低下を招くこともない。
【００７３】
次に、図３のフローチャートを参照しつつ、原稿移動方式での原稿読取りに際し、第１乃至第３温度センサー７６〜７８による検出温度に基づいて第１走査部１５を移動制御するための処理手順を説明する。
【００７４】
まず、画像形成装置１００の待機状態で、原稿が原稿セットトレイ１１にセットされ、操作パネルの操作により原稿の読取り要求（ステップＳＴ１）がなされると、これに応答して制御部７９は、原稿セットトレイ１１上の原稿が複数枚か否かを判定する（ＳＴ２）。例えば、制御部７９は、原稿セットトレイ１１に設けられた原稿センサーの検出出力や操作パネルの操作により指定された原稿読取り条件に基づいて、原稿が複数枚か否かを判定する。
【００７５】
そして、原稿が一枚であった場合は（ＳＴ２で「Ｎｏ」）、制御部７９は、例えば第１走査部１５を位置Ｐ１まで移動させて位置決めし、第２走査部１６も追従移動させて位置決めする（ＳＴ３）。このとき、画像形成装置１００の待機状態の直後であるから、第１プラテンガラス１４のいずれの部分も温度が上昇していない。
【００７６】
尚、ステップＳＴ３における第１走査部１５の位置は、予め決めておき制御部１１のメモリに保存しておいてもよいし、前回の読取処理における最後の読取位置とは異なる位置にしてもよい。
【００７７】
引き続いて、制御部７９は、第１走査部１５の光源１５ａへの通電を行って（ＳＴ４）、光源１５ａを点灯させ、光源１５ａの照射光量の制御及び搬送ベルト７１の白色表面を用いたシェーディング補正を行う（ＳＴ５）。そして、制御部７９は、照射光量の制御及びシェーディング補正を終了してから（ＳＴ５で「Ｙｅｓ」）、原稿搬送部１０１を制御して、原稿を原稿セットトレイ１１から引き出し、原稿を第１プラテンガラス１４上で搬送して通過させ、この原稿を排紙トレイ１２に排出し、同時に原稿読取り装置１０２を制御して、原稿の読取処理を行う（ＳＴ６）。
【００７８】
このとき、第１走査部１５を位置Ｐ１に位置決めしていることから、第１走査部１５の光源１５ａからの光が第１プラテンガラス１４の位置Ｐ１近傍部分を透過し、原稿からの反射光も同位置Ｐ１近傍部分を透過する。
【００７９】
この１枚の原稿の読取処理が終了し、この原稿が排紙トレイ１２に排出されると、待機状態に戻る。
【００８０】
一方、ステップＳＴ２において、原稿が複数枚と判定された場合は（ＳＴ２で「Ｙｅｓ」）、制御部７９は、第１乃至第３温度センサー７６〜７８により検出された第１プラテンガラス１４の各位置Ｐ１、Ｐ２、Ｐ３の温度を入力し、これらの検出温度のうちから最も低い温度を選択し、この最も低い温度となっている位置まで第１走査部１５を移動させて位置決めし、第２走査部１６も追従移動させて位置決めする（ＳＴ８）。
【００８１】
例えば、位置Ｐ１の温度が最も低いとすると、制御部７９は、この位置Ｐ１まで第１走査部１５を移動させて位置決めし、第２走査部１６も追従移動させて位置決めする。
【００８２】
そして、制御部７９は、第１走査部１５の光源１５ａを点灯させ（ＳＴ９）、照射光量の制御及びシェーディング補正を行ってから（ＳＴ１０で「Ｙｅｓ」）、原稿搬送部１０１を制御して、原稿を原稿セットトレイ１１から引き出し、原稿を第１プラテンガラス１４上で搬送して通過させてから排出し、同時に原稿読取り装置１０２を制御して、原稿の読取処理を行う（ＳＴ１１）。
【００８３】
このときにも、光源１５ａからの光及び原稿からの反射光が第１プラテンガラス１４の位置Ｐ１近傍部分を透過する。
【００８４】
この後、制御部７９は、次の原稿があるか否かを判定し（ＳＴ１２）、次の原稿がなければ（ＳＴ１２で「Ｎｏ」）、待機状態に戻る。
【００８５】
また、制御部７９は、次の読取り原稿があれば（ＳＴ１２で「Ｙｅｓ」）、第１乃至第３温度センサー７６〜７８により検出された第１プラテンガラス１４の各位置Ｐ１、Ｐ２、Ｐ３の温度を入力する（ＳＴ１３）。そして、制御部７９は、第１プラテンガラス１４の位置Ｐ１の検出温度を、制御部７９に内蔵のメモリ７９ａに予め記憶されている温度閾値と比較し（ＳＴ１４）、第１プラテンガラス１４の位置Ｐ１の検出温度が温度閾値未満であれば（ＳＴ１４で「Ｙｅｓ」）、つまり第１プラテンガラス１４の位置Ｐ１の温度が格別に上昇していなければ、ＳＴ１１に戻って、次の原稿の読取り処理を行う。
【００８６】
この場合は、第１走査部１５を位置Ｐ１に位置決めしたままの状態で、次の原稿が読取られる。
【００８７】
また、制御部７９は、第１プラテンガラス１４の位置Ｐ１の検出温度が温度閾値以上であれば（ＳＴ１４で「Ｎｏ」）、つまり第１プラテンガラス１４の位置Ｐ１の温度が格別に上昇していれば、ＳＴ８に戻って、第１乃至第３温度センサー７６〜７８により検出された第１プラテンガラス１４の各位置Ｐ１、Ｐ２、Ｐ３の温度を入力し、これらの検出温度のうちから最も低い温度を選択し、この最も低い温度となっている位置まで第１走査部１５を移動させて位置決めし、第２走査部１６も追従移動させて位置決めする。
【００８８】
例えば、位置Ｐ２の温度が最も低いとすると、制御部７９は、この位置Ｐ２まで第１走査部１５を移動させて位置決めし、第２走査部１６も追従移動させて位置決めする。そして、ＳＴ９以降の処理を行って、次の原稿の読取り処理を行う。
【００８９】
このときには、第１走査部１５の光源１５ａからの光が第１プラテンガラス１４の位置Ｐ２近傍部分を透過し、原稿からの反射光も同位置Ｐ２近傍部分を透過する。
【００９０】
以降同様に、光源１５ａからの光及び原稿からの反射光が透過する第１プラテンガラス１４の位置の温度が温度閾値以上になると、第１プラテンガラス１４の各位置Ｐ１、Ｐ２、Ｐ３の検出温度のうちから最も低い温度を選択し、この最も低い温度となっている位置まで第１走査部１５を移動させて位置決めし、第２走査部１６も追従移動させて位置決めしてから、原稿の読取り処理を行う。
【００９１】
尚、温度閾値は、火傷しない程度の温度以下、もしくは原稿の変色を招かない程度の温度以下に設定するのが好ましい。具体的には、温度閾値を６０℃以下に設定するのが良い。
【００９２】
このように本実施形態では、第１乃至第３温度センサー７６〜７８により検出された温度を比較して、これらの検出温度のうちから最も低い温度を選択し、この最も低い温度となっている位置まで第１走査部１５を移動させて位置決めして、第２走査部１６も追従移動させて位置決めし、光源１５ａからの光及び原稿からの反射光が第１プラテンガラス１４の最も低い温度の位置近傍部分を透過するようにしているので、第１プラテンガラス１４の特定部分の温度が過度に上昇することがない。また、第１及び第２走査部１５、１６の移動に伴い、ファンによる空気の流れが変わるので、第１及び第２走査部１５、１６や光学系近傍の空気の滞留が解消され、その温度上昇が抑制される。
【００９３】
次に、本発明の原稿読取り装置の第２実施形態について説明する。本実施形態の原稿読取り装置は、図２に示す原稿読取り装置と同一構成であって、かつ図１の画像形成装置１００に適用されるものであるが、第１走査部１５を移動制御するための処理手順が第１実施形態とは異なる。
【００９４】
本実施形態では、第１実施形態のように温度センサーによる第１プラテンガラス１４の検出温度に基づいて第１走査部１５を移動制御するのではなく、読取られた原稿の枚数に基づいて第１走査部１５を移動制御している。
【００９５】
ここで、第１及び第２走査部１５、１６を位置決めした状態で、複数枚の原稿を継続して読取って行くとすると、第１走査部１５の光源１５ａが連続的に点灯され、光源１５ａからの光及び原稿からの反射光が第１プラテンガラス１４の特定部分に照射され続けることになるので、第１プラテンガラス１４の特定部分の温度が徐々に上昇し続ける。このとき、第１プラテンガラス１４の特定部分の温度が光源１５ａの連続的な点灯時間の長さに対応し、この連続的な点灯時間の長さが原稿の読取り枚数に対応するので、第１プラテンガラス１４の特定部分の温度が原稿の読取り枚数に対応することになる。
【００９６】
そこで、複数枚の原稿を継続して読取って行き、何枚目の原稿の読取りのときに第１プラテンガラス１４の特定部分の温度が許容温度上になるかを予め求めておき、このときの原稿の枚数を枚数閾値として制御部７９のメモリ７９ａに記憶しておく。また、制御部７９には、読取られた原稿の枚数を積算する枚数積算カウンター（図示せず）を内蔵させておく。
【００９７】
また、この枚数閾値は、Ａ４サイズ原稿（２１０ｍｍ×２９９ｍｍ）をその短手方向に搬送するという条件で求めて記憶する。
【００９８】
従って、Ａ４サイズ原稿をその短手方向に搬送して読取るときには、読取られた原稿毎に、原稿の枚数を１つずつ積算すれば良い。
【００９９】
ただし、原稿を長手方向に搬送して読取ったり、他のサイズの原稿を読取るときには、原稿１枚当たりに要する光源１５ａの照明時間が変化する。このため、原稿の搬送方向の長さに応じて、読取られた原稿毎の積算値を補正する。
【０１００】
例えば、Ａ３サイズ原稿（２９９ｍｍ×４２０ｍｍ）１枚の長手方向の搬送については、積算値を２とする。また、Ａ４サイズ原稿の長手方向の搬送については、積算値を１．４２とする。これにより、読取られた原稿枚数の積算値を第１プラテンガラス１４の特定部分の温度に正確に対応させることができる。
【０１０１】
さて、本実施形態の処理手順は、図４のフローチャートに示すようなものである。まず、画像形成装置１００の待機状態で、原稿が原稿セットトレイ１１にセットされ、操作パネルの操作により原稿の読取要求（ステップＳＴ２１）がなされると、これに応答して制御部７９は、原稿セットトレイ１１上の原稿が複数枚か否かを判定する（ＳＴ２２）。
【０１０２】
そして、原稿が一枚であった場合は（ＳＴ２２で「Ｎｏ」）、制御部７９は、例えば第１走査部１５を位置Ｐ１まで移動させて位置決めし、第２走査部１６も追従移動させて位置決めする（ＳＴ２３）。
【０１０３】
尚、ステップＳＴ２３における第１走査部１５の位置は、予め決めて制御部１１のメモリに保存しておいてもよいし、前回の読取処理における最後の読取位置とは異なる位置にしてもよい。
【０１０４】
引き続いて、制御部７９は、第１走査部１５の光源１５ａを点灯させ（ＳＴ２４）、照射光量の制御及びシェーディング補正を行う（ＳＴ２５）。そして、制御部７９は、原稿搬送部１０１を制御して、原稿を第１プラテンガラス１４上で搬送して通過させ、同時に原稿読取り装置１０２を制御して、原稿の読取処理を行う（ＳＴ２６）。
【０１０５】
このとき、光源１５ａからの光及び原稿からの反射光が第１プラテンガラス１４の位置Ｐ１近傍部分を透過する。
【０１０６】
この１枚の原稿の読取処理が終了し、この原稿が排紙トレイ１２に排出されると、待機状態に戻る。
【０１０７】
一方、ステップＳＴ２２において、原稿が複数枚と判定された場合は（ＳＴ２２で「Ｙｅｓ」）、制御部７９は、例えば第１走査部１５を位置Ｐ１まで移動させて位置決めし、第２走査部１６も追従移動させて位置決めする（ＳＴ２７）。このときの位置も、予め決めておくか、前回の読取処理における最後の読取位置とは異なる位置とする。
【０１０８】
そして、制御部７９は、第１走査部１５の光源１５ａを点灯させ（ＳＴ２８）、照射光量の制御及びシェーディング補正を行ってから（ＳＴ２９で「Ｙｅｓ」）、枚数積算カウンターによる原稿枚数の積算値を初期化する（ＳＴ３０）。更に、制御部７９は、原稿搬送部１０１を制御して、原稿を第１プラテンガラス１４上で搬送して通過させ、同時に原稿読取り装置１０２を制御して、原稿の読取処理を行い（ＳＴ３１）、原稿の搬送方向の長さに応じて、枚数積算カウンターによる原稿枚数の積算値を積算する。
【０１０９】
このときにも、光源１５ａからの光及び原稿からの反射光が第１プラテンガラス１４の位置Ｐ１近傍部分を透過する。
【０１１０】
この後、制御部７９は、次の原稿があるか否かを判定し（ＳＴ３２）、次の原稿がなければ（ＳＴ３２で「Ｎｏ」）、待機状態に戻る。
【０１１１】
また、次の原稿があれば（ＳＴ３２で「Ｙｅｓ」）、制御部７９は、枚数積算カウンターによる原稿枚数の積算値が枚数閾値以上であるか否かを判定し（ＳＴ３３）、積算値が枚数閾値未満であれば（ＳＴ３３で「Ｎｏ」）、ＳＴ３１に戻って、次の原稿の読取り処理を行う。
【０１１２】
従って、第１走査部１５を位置Ｐ１に位置決めしたままの状態で、次の原稿が読取られる。
【０１１３】
そして、ＳＴ３１〜ＳＴ３３が繰り返されて、原稿が次々と読取られ、枚数積算カウンターによる原稿枚数の積算値が積算されて行くと、枚数積算カウンターによる原稿枚数の積算値が枚数閾値以上になる（ＳＴ３３で「Ｙｅｓ」）。このとき、制御部７９は、第１走査部１５を位置Ｐ１とは異なる位置Ｐ２又はＰ３まで移動させて位置決めし、第２走査部１６も追従移動させて位置決めする（ＳＴ３４）。そして、ＳＴ２８からの処理に戻って、原稿の読取り処理を継続する。
【０１１４】
このときには、光源１５ａからの光及び原稿からの反射光が第１プラテンガラス１４の位置Ｐ２又はＰ３の近傍部分を透過する。
【０１１５】
尚、ステップＳＴ３４における第１走査部１５の位置の変更順序は、例えば位置Ｐ１→Ｐ２→Ｐ３→Ｐ１というようなサイクリックな順序に予め決めておいても良い。特に、第１走査部１５の位置を位置Ｐ１→Ｐ２→Ｐ３という順序で変更すると、第１走査部１５を原稿の搬送方向に移動させることになるが、この場合は、連続的に搬送される前後の原稿を読取るに際し、前の原稿の読取り終了直後に光学ユニット（第１及び第２走査部１５、１６）の移動を開始して、第１走査部１５を前後の原稿の間隙に追従移動させ、光学ユニットを停止させた直後から後の原稿の読取りを開始することができる。すなわち、原稿の読取りを殆ど中断せずに、光学ユニットを移動させて、その位置を変更することができる。
【０１１６】
このように本実施形態では、複数枚の原稿の読取りに際し、原稿枚数の積算値が枚数閾値以上になると、第１走査部１５を移動させて、その位置を変更しているので、光源１５ａからの光及び原稿からの反射光が第１プラテンガラス１４の特定部分に無制限に照射され続けることはなく、第１プラテンガラス１４の特定部分の温度が過度に上昇することがない。また、第１及び第２走査部１５、１６の移動に伴い、ファンによる空気の流れが変わるので、第１及び第２走査部１５、１６や光学系近傍の空気の滞留が解消され、その温度上昇が抑制される。
【０１１７】
次に、本発明の原稿読取り装置の第３実施形態について説明する。本実施形態の原稿読取り装置は、図２に示す原稿読取り装置と同一構成であって、かつ図１の画像形成装置１００に適用されるものであるが、第１走査部１５を移動制御するための処理手順が第１及び第２実施形態とは異なる。
【０１１８】
本実施形態では、第１実施形態のように温度センサーによる第１プラテンガラスの温度に基づいて第１走査部１５を移動制御するのではなく、また第２実施形態のように読取られた原稿の枚数に基づいて第１走査部１５を移動制御しているのでもなく、第１走査部１５の光源１５ａによる継続的な照射時間に基づいて第１走査部１５を移動制御している。
【０１１９】
先に述べたように、第１プラテンガラス１４の特定部分の温度が光源１５ａの連続的に点灯時間に対応する。
【０１２０】
そこで、光源１５ａの連続的な点灯時間がどの程度の長さになったときに第１プラテンガラス１４の特定部分の温度が許容温度上になるかを予め求めておき、このときの点灯時間の長さを時間閾値として制御部７９のメモリ７９ａに記憶しておく。また、制御部７９には、光源１５ａの連続的な点灯時間を計時するタイマー（図示せず）を内蔵させておく。
【０１２１】
さて、本実施形態の処理手順は、図５のフローチャートに示すようなものである。まず、画像形成装置１００の待機状態で、原稿が原稿セットトレイ１１にセットされ、操作パネルの操作により原稿の読取要求（ステップＳＴ４１）がなされると、これに応答して制御部７９は、原稿セットトレイ１１上の原稿が複数枚か否かを判定する（ＳＴ４２）。
【０１２２】
そして、原稿が一枚であった場合は（ＳＴ４２で「Ｎｏ」）、制御部７９は、例えば第１走査部１５を位置Ｐ１まで移動させて位置決めし、第２走査部１６も追従移動させて位置決めする（ＳＴ４３）。
【０１２３】
尚、ステップＳＴ４３における第１走査部１５の位置は、予め決めて制御部１１のメモリに保存しておいてもよいし、前回の読取処理における最後の読取位置とは異なる位置にしてもよい。
【０１２４】
引き続いて、制御部７９は、第１走査部１５の光源１５ａを点灯させ（ＳＴ４４）、照射光量の制御及びシェーディング補正を行う（ＳＴ４５）。そして、制御部７９は、原稿搬送部１０１を制御して、原稿を第１プラテンガラス１４上で搬送して通過させ、同時に原稿読取り装置１０２を制御して、原稿の読取処理を行う（ＳＴ４６）。
【０１２５】
このとき、光源１５ａからの光及び原稿からの反射光が第１プラテンガラス１４の位置Ｐ１近傍部分を透過する。
【０１２６】
そして、この１枚の原稿の読取処理が終了し、この原稿が排紙トレイ１２に排出されると、待機状態に戻る。
【０１２７】
一方、ステップＳＴ４２において、原稿が複数枚と判定された場合は（ＳＴ４２で「Ｙｅｓ」）、制御部７９は、例えば第１走査部１５を位置Ｐ１まで移動させて位置決めし、第２走査部１６も追従移動させて位置決めする（ＳＴ４７）。このときの位置も、予め決めておくか、前回の読取処理における最後の読取位置とは異なる位置とする。
【０１２８】
そして、制御部７９は、第１走査部１５の光源１５ａを点灯させ（ＳＴ４８）、照射光量の制御及びシェーディング補正を行う（ＳＴ４９で「Ｙｅｓ」）。同時に、タイマーを初期化してから、タイマーによる光源１５ａの連続的な点灯時間の計時を開始する（ＳＴ５０）。更に、制御部７９は、原稿搬送部１０１を制御して、原稿を第１プラテンガラス１４上で搬送して通過させ、同時に原稿読取り装置１０２を制御して、原稿の読取処理を行う（ＳＴ５１）。
【０１２９】
このときにも、光源１５ａからの光及び原稿からの反射光が第１プラテンガラス１４の位置Ｐ１近傍部分を透過する。
【０１３０】
この後、制御部７９は、次の原稿があるか否かを判定し（ＳＴ５２）、次の原稿がなければ（ＳＴ５２で「Ｎｏ」）、待機状態に戻る。
【０１３１】
また、次の原稿があれば（ＳＴ５２で「Ｙｅｓ」）、制御部７９は、タイマーにより計時されている連続的な点灯時間が時間閾値以上であるか否かを判定し（ＳＴ５３）、連続的な点灯時間が時間閾値未満であれば（ＳＴ５３で「Ｎｏ」）、ＳＴ５１に戻って、次の原稿の読取り処理を行う。
【０１３２】
従って、第１走査部１５を位置Ｐ１に位置決めしたままの状態で、次の原稿が読取られる。
【０１３３】
そして、ＳＴ５１〜ＳＴ５３が繰り返されて、原稿が次々と読取られ、タイマーによる連続的な点灯時間が計時され続けると、タイマーによる連続的な点灯時間が時間閾値以上になる（ＳＴ５３で「Ｙｅｓ」）。このとき、制御部７９は、第１走査部１５を位置Ｐ１とは異なる位置Ｐ２又はＰ３まで移動させて位置決めし、第２走査部１６も追従移動させて位置決めする（ＳＴ５４）。そして、ＳＴ４８からの処理に戻って、原稿の読取り処理を継続する。
【０１３４】
このときには、光源１５ａからの光及び原稿からの反射光が第１プラテンガラス１４の位置Ｐ２又はＰ３の近傍部分を透過する。
【０１３５】
尚、ステップＳＴ５４における第１走査部１５の位置の変更順序は、例えば位置Ｐ１→Ｐ２→Ｐ３→Ｐ１というようなサイクリックな順序に予め決めておいても良い。特に、第１走査部１５の位置を位置Ｐ１→Ｐ２→Ｐ３という順序で変更すると、第１走査部１５を原稿の搬送方向に移動させることになるが、この場合は、連続的に搬送される前後の原稿を読取るに際し、前の原稿の読取り終了直後に光学ユニット（第１及び第２走査部１５、１６）の移動を開始して、第１走査部１５を前後の原稿の間隙に追従移動させ、光学ユニットを停止させた直後から後の原稿の読取りを開始することができる。すなわち、原稿の読取りを殆ど中断せずに、光学ユニットを移動させて、その位置を変更することができる。
【０１３６】
このように本実施形態では、複数枚の原稿の読取りに際し、光源１５ａの連続的な点灯時間が時間閾値以上になると、第１走査部１５を移動させて、その位置を変更しているので、光源１５ａからの光及び原稿からの反射光が第１プラテンガラス１４の特定部分に無制限に照射され続けることはなく、第１プラテンガラス１４の特定部分の温度が過度に上昇することがない。また、第１及び第２走査部１５、１６の移動に伴い、ファンによる空気の流れが変わるので、第１及び第２走査部１５、１６や光学系近傍の空気の滞留が解消され、その温度上昇が抑制される。
【０１３７】
尚、本発明は、上記各実施形態に限定されるものではなく、多様に変形することができる。例えば、温度センサーにより第１プラテンガラス１４の温度を検出する代わりに、温度センサーにより第１及び第２走査部１５、１６の温度、より具体的には反射ミラーやその保持部材の温度を検出して、この検出温度に基づいて、第１及び第２走査部１５、１６を第１プラテンガラス１４に沿って移動させても良い。
【０１３８】
また、第１及び第２走査部１５、１６を位置決めする位置を増減させたり変更しても構わない。
【０１３９】
更に、本発明の原稿読取装置は、画像読取装置だけではなく、複写機、スキャナ、プリンタおよびファクシミリ機能を有した複合機にも適用可能である。
【図面の簡単な説明】
【０１４０】
【図１】本発明の原稿読取り装置の第１実施形態を適用した画像形成装置を示す断面図である。
【図２】第１実施形態の原稿読取り装置の一部を拡大して示す断面図である。
【図３】第１実施形態の原稿読取り装置における第１走査部１５を移動制御するための処理手順を示すフローチャートである。
【図４】第２実施形態の原稿読取り装置における第１走査部１５を移動制御するための処理手順を示すフローチャートである。
【図５】第２実施形態の原稿読取り装置における第１走査部１５を移動制御するための処理手順を示すフローチャートである。
【図６】（ａ）は搬送方式を採用した従来の原稿読取り装置を部分的に示す断面図であり、（ｂ）は（ａ）のプラテンガラスの温度分布を示すグラフである。
【図７】従来の原稿読取り装置におけるプラテンガラスの温度上昇の様子を示すグラフである。
【符号の説明】
【０１４１】
１１  原稿セットトレイ
１２  排紙トレイ
１４  第１プラテンガラス
１５  第１走査部
１６  第２走査部
１７  結像レンズ
１８  ＣＣＤ
２１  感光体ドラム
２２  帯電器
２３  光書込みユニット
２４  現像器
２５  転写ユニット
２６  クリーニングユニット
２６Ａ  クリーニングブレード
２７  定着ユニット
３５  加熱ローラ
３６  加圧ローラ
４１ａ〜４１ｅ  搬送ローラ
４２  レジストローラ
６１  ピックアップローラ
６２  サバキローラ
６３ａ〜６３ｆ  用紙検知センサー
６４  レジスト前ローラ
７１  搬送ベルト
７２  駆動ローラ
７３  従動ローラ
７４、７５  搬送ローラ
７６、７７、７８  第１、第２、及び第３温度センサー
７９  制御部
１００  画像形成装置
１０１  原稿搬送部
１０２  原稿読取り装置
１０３  印字部
１０４  記録用紙搬送部
１０５  給紙部
【図１】
2008211635.tif 000003
【図２】
2008211635.tif 000004
【図３】
2008211635.tif 000005
【図４】
2008211635.tif 000006
【図５】
2008211635.tif 000007
【図６】
2008211635.tif 000008
【図７】
2008211635.tif 000009